【手続補正書】
【提出日】平成23年9月27日(2011.9.27)
【手続補正１】
【補正対象書類名】特許請求の範囲
【補正対象項目名】全文
【補正方法】変更
【補正の内容】
【特許請求の範囲】
【請求項１】
映像シーケンスをバッファする方法であって、
全画像フレーム及び差分画像フレームを含む入力映像ストリームから入力画像フレームを受信するステップと、
各フレームの受信に応答して受信された各入力画像フレームを映像シーケンスＦＩＦＯバッファに保存するステップと、
映像シーケンスＦＩＦＯバッファに保存された映像シーケンスと関連付けられ、少なくとも１つの全画像フレームを全画像ＦＩＦＯバッファに保存するステップと、
全画像フレームＦＩＦＯバッファからの保存された少なくとも１つの全画像フレームのうちの少なくとも１つを映像シーケンスＦＩＦＯバッファの画像フレームと組み合わせることによって、出力映像シーケンスを生成するステップとを含む前記方法。
【請求項２】
請求項１記載の方法であって、全画像フレームＦＩＦＯバッファに保存された少なくとも１つの全画像フレームは、映像シーケンスＦＩＦＯバッファに保存された画像フレームの全画像表示である前記方法。
【請求項３】
請求項１または２に記載の方法であって、全画像フレームＦＩＦＯバッファに保存された少なくとも１つの全画像フレームは、映像シーケンスＦＩＦＯバッファに保存された映像シーケンスのうちの最も古い画像フレームに対して短い時間的距離を有する画像フレームの全画像表示である前記方法。
【請求項４】
請求項１から３のいずれかに記載の方法であって、出力映像シーケンスを生成するステップは、全画像フレーム及び差分画像フレームを含む映像シーケンスＦＩＦＯバッファから出力された映像シーケンスの第１のフレームとして、全画像ＦＩＦＯバッファからの全画像フレームを挿入するステップを含む前記方法。
【請求項５】
請求項１から４のいずれかに記載の方法であって、出力映像シーケンスを生成するステップは、検出信号の受信の際に自動的に行われる前記方法。
【請求項６】
請求項１から５のいずれかに記載の方法であって、入力画像フレームを含む映像ストリームを出力する映像シーケンス符号化手段から全画像フレームを頻繁に受信するステップは、それぞれの全画像フレームが入力画像フレームの画像フレームの全画像バージョンを表すステップをさらに含み、少なくとも１つの全画像フレームを保存するステップは、それぞれの全画像フレームの受信に応答して、受信された全画像フレームのそれぞれを全画像ＦＩＦＯバッファに保存するステップを含む前記方法。
【請求項７】
請求項１から５のいずれかに記載の方法であって、少なくとも１つの全画像フレームを全画像ＦＩＦＯバッファに保存するステップは、
受信された入力画像フレームのうちの少なくとも１つの画像フレームを少なくとも１つの全画像フレームと組み合わせるステップであって、受信された入力画像フレームのうちの少なくとも１つの画像フレームが差分画像であり、少なくとも１つの全画像フレームが表しているよりも、映像シーケンス内においてより新しい画像フレームを表すステップと、
組み合わされた画像フレームを全画像ＦＩＦＯバッファに保存するステップとをさらに含む前記方法。
【請求項８】
請求項１から５のいずれかに記載の方法であって、少なくとも１つの全画像フレームを保存するステップは、全画像ＦＩＦＯバッファ内の受信された入力画像フレームの全画像フレームを保存するステップを含む前記方法。
【請求項９】
請求項７および８のいずれかに記載の方法であって、全画像ＦＩＦＯバッファ及び映像シーケンスＦＩＦＯバッファは、等しい数の画像フレームを保存する前記方法。
【請求項１０】
請求項７および８のいずれかに記載の方法であって、全画像ＦＩＦＯバッファは、１つの画像フレームを保存する前記方法。
【請求項１１】
請求項１０記載の方法であって、前記受信された入力画像フレームのうちの前記少なくとも１つの画像フレーム又は前記受信された入力画像フレームの前記全画像フレームは、前記映像シーケンスＦＩＦＯバッファ内で最も古い画像フレームである前記方法。
【請求項１２】
映像シーケンスをバッファリングするアラーム前バッファであって、入力映像ストリームからの入力画像フレームをバッファリングするように構成された映像シーケンスＦＩＦＯバッファと、
少なくとも１つの全画像フレームをバッファリングするように構成され、前記映像シーケンスＦＩＦＯバッファに関連付けられた全画像ＦＩＦＯバッファと、
前記全画像ＦＩＦＯバッファからの画像フレームを第１ＦＩＦＯバッファの画像フレームと組み合わせ、アラーム前映像シーケンスを生成するように構成されたコンバイナとを備えるアラーム前バッファ。
【請求項１３】
請求項１２記載のアラーム前バッファであって、前記全画像フレームＦＩＦＯバッファに保存された前記少なくとも１つの全画像フレームは、前記映像シーケンスＦＩＦＯバッファに保存された画像フレームの全画像表示であるアラーム前バッファ。
【請求項１４】
請求項１２または１３に記載のアラーム前バッファであって、前記全画像フレームＦＩＦＯバッファに保存された前記少なくとも１つの全画像フレームは、前記映像シーケンスＦＩＦＯバッファ内に保存された前記映像シーケンスの最も古い画像フレームに対して短い時間的距離を有する画像フレームの全画像表示であるアラーム前バッファ。
【請求項１５】
請求項１２から１４のいずれかに記載のアラーム前バッファであって、前記コンバイナは、全画像フレーム及び差分画像フレームを含む映像シーケンスＦＩＦＯバッファから出力された映像シーケンスの第１フレームとして、全画像ＦＩＦＯバッファからの全画像フレームを挿入するように構成されるアラーム前バッファ。
【請求項１６】
請求項１２から１５のいずれかに記載のアラーム前バッファであって、全フレーム及び差分フレームを含む映像シーケンスを受信するように構成された圧縮映像入力部をさらに含むアラーム前バッファ。
【請求項１７】
請求項１２から１６のいずれかに記載のアラーム前バッファであって、全フレームのみを含む映像シーケンスを受信するように構成された全フレーム映像入力部をさらに含むアラーム前バッファ。
【請求項１８】
請求項１２から１７のいずれかに記載のアラーム前バッファを含む映像サーバ。
【請求項１９】
請求項１２から１７のいずれかに記載のアラーム前バッファを含むカメラ。
【請求項２０】
請求項１から１１のいずれかに記載の方法のステップを実行するコンピュータ・プログラム符号を含むコンピュータ・プログラム。
【請求項２１】
全画像フレーム及び差分画像フレームを含む映像シーケンスＦＩＦＯバッファから出力される映像シーケンスの第１フレームとして、全画像ＦＩＦＯバッファからの全画像フレームを挿入するステップを含むアラーム前映像シーケンスを生成する方法。
【請求項２２】
請求項２１記載の方法であって、前記全画像ＦＩＦＯバッファからの前記全画像フレームは、前記映像シーケンスＦＩＦＯバッファから出力される第１画像を置き換える前記方法。
【請求項２３】
請求項２１記載の方法であって、前記全画像ＦＩＦＯバッファからの前記全画像フレームは、前記映像シーケンスＦＩＦＯバッファからの前記映像シーケンスの第１フレームとして配置され、前記映像シーケンスから出力される前記第１フレームを結果として生じる映像シーケンスの第２映像フレームにする前記方法。
【請求項２４】
全画像フレーム及び差分画像フレームを含む映像シーケンスＦＩＦＯバッファから出力される映像シーケンスの第１フレームとして、全画像ＦＩＦＯバッファからの全画像フレームを挿入するステップを実行することによって、アラーム前映像シーケンスを生成するコンピュータ・プログラム符号を含むコンピュータ・プログラム。
【請求項２５】
請求項２４記載のコンピュータ・プログラムであって、前記全画像ＦＩＦＯバッファからの前記全画像フレームは、前記映像シーケンスＦＩＦＯバッファから出力される第１画像を置き換えるコンピュータ・プログラム。
【請求項２６】
請求項２４に記載のコンピュータ・プログラムであって、前記全画像ＦＩＦＯバッファからの前記全画像フレームは、前記映像シーケンスＦＩＦＯバッファからの前記映像シーケンスの前記第１フレームとして配置され、前記映像シーケンスから出力される前記第１フレームを、結果として生じる映像シーケンスの第２映像フレームにするコンピュータ・プログラム。